(57)【要約】【課題】ユーザーに応じた適切な情報を提供し、効率的かつ確実な監視業務を可能とすること。【解決手段】携帯情報端末（３００）からユーザー識別情報を取得し、ユーザー定義情報を格納するユーザー定義情報データベース（１０１）を検索し、識別情報に対応付けられたユーザー定義情報を取得するユーザー定義情報取得部（１０３）、携帯情報端末（３００）から位置情報を取得し、監視対象となる機器定義情報を格納する機器定義情報データベース（１０２）を検索して、携帯情報端末と所定の位置関係にある機器を特定する機器特定部（１０４）、監視対象となる機器に対応付けられた監視情報を格納する監視情報データベース（１０８）を検索し、ユーザー定義情報に基づいて、特定された機器について提供すべき監視情報を抽出する情報抽出部（１０５）、および抽出された監視情報に基づいて携帯情報端末において提供される音声情報を生成する音声情報生成部（１０６）を備える。【選択図】図２
2015103032.tif 000002
【特許請求の範囲】
【請求項１】
ユーザーが携帯する携帯情報端末と通信可能に構成されたプラント監視サーバーであって、
ユーザー定義情報を格納するユーザー定義情報データベースと、
監視対象となる機器の定義情報を格納する機器定義情報データベースと、
前記監視対象となる機器に対応付けられた監視情報を格納する監視情報データベースと、
前記携帯情報端末からユーザー識別情報を取得し、前記ユーザー定義情報データベースを検索し、前記ユーザー識別情報に対応付けられたユーザー定義情報を取得するユーザー定義情報取得部と、
前記携帯情報端末から位置情報を取得し、前記機器定義情報データベースを検索して、前記携帯情報端末と所定の位置関係にある前記機器を特定する機器特定部と、
前記監視情報データベースを検索し、取得された前記ユーザー定義情報に基づいて、特定された前記機器について提供すべき監視情報を抽出する情報抽出部と、
抽出された前記監視情報に基づいて前記携帯情報端末において提供される音声に対応する音声情報を生成する音声情報生成部と、を備える、
プラント監視サーバー。
【請求項２】
前記音声情報生成部は、
ユーザーに提供する音声の文章テンプレートを格納する文章テンプレートデータベースを備え、
前記文章テンプレートデータベースを検索し、抽出された前記監視情報に対応する文章情報を生成する、
請求項１に記載のプラント監視サーバー。
【請求項３】
前記ユーザー定義情報と抽出された前記監視情報とに基づいて前記文章情報の重要度を決定する重要度決定部をさらに備え、
前記音声情報に基づいて生成される音声は、決定された前記重要度に対応した態様で提供される、
請求項１または２に記載のプラント監視サーバー。
【請求項４】
前記携帯情報端末から送信される音声情報および／または画像情報を解析する情報解析部と、
解析された前記音声情報および／または画像情報に対応する監視情報に基づいて前記監視情報データベースを更新する監視情報更新部をさらに備える、
請求項１〜３のいずれか１項に記載のプラント監視サーバー。
【請求項５】
ユーザーが携帯する携帯情報端末と通信可能に構成されたプラント監視サーバーであって、
ユーザーの属性情報を含む定義情報を格納するユーザー定義情報データベースと、
監視対象となる機器の定義情報を格納する機器定義情報データベースと、
前記監視対象となる機器に対応付けられた監視情報を格納する監視情報データベースと、
前記携帯情報端末からユーザーの識別情報を取得し、前記ユーザー定義情報データベースを検索し、前記識別情報に対応付けられたユーザー定義情報を取得するユーザー定義情報取得部と、
前記携帯情報端末から位置情報を取得し、前記機器定義情報データベースを検索して、前記携帯情報端末と所定の位置関係にある機器を特定する機器特定部と、
前記機器定義情報データベースを検索し、特定された前記機器の識別情報を抽出する情報抽出部と、
前記機器の識別情報と前記ユーザー定義情報とを前記携帯情報端末に提供する送信部と、を備える、
プラント監視サーバー。
【請求項６】
前記携帯情報端末から送信される音声情報および／または画像情報を解析する情報解析部と、
解析された前記音声情報および／または画像情報に対応する監視情報に基づいて前記監視情報データベースを更新する監視情報更新部と、
をさらに備える、
請求項５に記載のプラント監視サーバー。
【請求項７】
請求項１〜４のいずれか１項に記載のプラント監視サーバーと通信可能に構成された携帯情報端末であって、
前記文章情報に基づいて当該文章情報に対応する音声を発音させるための音声情報を生成する音声合成部を備える、
携帯情報端末。
【請求項８】
請求項５または６に記載のプラント監視サーバーと通信可能に構成された携帯情報端末であって、
提供された前記機器の識別情報および前記ユーザー定義情報の一部を送信して、当該識別情報に対応付けられた機器と通信する機器通信部と、
前記機器から提供された監視情報を取得し、当該監視情報に対応する音声を発音させるための音声情報を生成する音声合成部と、
を備える、
携帯情報端末。
【請求項９】
ユーザーが携帯する携帯情報端末とプラント監視サーバーとの間で実行されるプラント監視方法であって、
前記プラント監視サーバーは、
ユーザー定義情報を格納するユーザー定義情報データベースと、
監視対象となる機器の定義情報を格納する機器定義情報データベースと、
前記監視対象となる機器に対応付けられた監視情報を格納する監視情報データベースと、
を備え、
前記携帯情報端末からユーザー識別情報を取得し、前記ユーザー定義情報データベースを検索し、前記ユーザー識別情報に対応付けられたユーザー定義情報を取得するステップと、
前記携帯情報端末から位置情報を取得し、前記機器定義情報データベースを検索して、前記携帯情報端末と所定の位置関係にある前記機器を特定するステップと、
前記監視情報データベースを検索し、取得された前記ユーザー定義情報に基づいて、特定された前記機器について提供すべき監視情報を抽出するステップと、
抽出された前記監視情報に基づいて前記携帯情報端末において提供される音声に対応する音声情報を生成するステップと、を備える、
プラント監視方法。
【請求項１０】
ユーザーが携帯する携帯情報端末とプラント監視サーバーとの間で実行されるプラント監視方法であって、
前記プラント監視サーバーは、
ユーザー定義情報を格納するユーザー定義情報データベースと、
監視対象となる機器の定義情報を格納する機器定義情報データベースと、
前記監視対象となる機器に対応付けられた監視情報を格納する監視情報データベースと、
を備え、
前記携帯情報端末からユーザー識別情報を取得し、前記ユーザー定義情報データベースを検索し、前記ユーザー識別情報に対応付けられたユーザー定義情報を取得するステップと、
前記携帯情報端末から位置情報を取得し、前記機器定義情報データベースを検索して、前記携帯情報端末と所定の位置関係にある機器を特定するステップと、
前記機器定義情報データベースを検索し、特定された前記機器の識別情報を抽出するステップと、
前記機器の識別情報と前記ユーザー定義情報の一部とを送信して、当該識別情報に対応付けられた機器と通信するステップと、
前記機器から提供された監視情報を取得し、当該監視情報に対応する音声を発音させるための音声情報を生成するステップと、
を備える、プラント監視方法。
【発明の詳細な説明】
【技術分野】
【０００１】
本発明は、プラント監視サーバーおよびプラント監視方法に関する。
【背景技術】
【０００２】
プラントには多数の測定機器や制御機器が設置される。プラントの適正な運用を推進するため、定期的にまたは任意のタイミングでこれらの機器の動作状態を検査する必要がある。正確な動作状態の判断および故障と判断した場合の的確な補修方法の決定、妥当な寿命の予測や部品交換時期の決定のために、多数の機器の動作状態を適正なタイミングでかつ正確に把握することは重要である。従来、監視を担当する作業者による効率的かつ正確な監視業務を支援するシステムが幾つか開発されていた。
【０００３】
特開２０００−２２２０２７号公報には、プラント制御システムの制御端末に表示される重要な情報の見落としを防止するため、操作者の視線を検出し、操作者の注意が表示装置に向いていないときに、重要度の高い情報について確認を促す注意喚起を音声にて提供する情報提示方法が記載されている（特許文献１、段落０００５〜０００８）。
【０００４】
特開２００３−２９５９７５号公報には、ヘッドセットとコンピューター本体を備えるハンドフリーコンピューター（以下「ウェアラブルコンピューター」（Ｗａｒｅａｂｌｅ  Ｃｏｍｐｕｔｅｒ）という。）を用いて、機器の点検や整備の作業時に、手を使わず機器に関する各種の情報を得られるようにしたフィールドワーク支援システムが開示されている（特許文献２、段落０００４〜０００８）。特許文献２には、作業者がウェアラブルコンピューターを装着し（図４）、音声認識によりメニュー項目から選択動作をハンズフリーで行うことが記載されている（図１４、段落００９４）。
【０００５】
特開２０１３−１０１２４８号公報には、拡張現実（ＡＲ：Ａｕｇｍｅｎｔｅｄ  Ｒｅａｌｉｔｙ）技術を用いた音声制御方法として、ＡＲサーバーに位置情報とタグ情報とを対応付けて記憶しておき、携帯端末から現在位置を示す位置情報を受信すると、携帯端末の周囲の位置を示す位置情報およびタグ情報を端末装置に送信するように構成した音声制御システムが開示されている（特許文献３、段落００１９）。特許文献３には、人間が複数の音声を聞き分けられることから、複数のタグ情報を端末装置に出力し、ユーザーに所望のタグ情報を同時に提供可能にすることが記載されている（段落００２７〜００２９）。
【先行技術文献】
【特許文献】
【０００６】
【特許文献１】特開２０００−２２２０２７号公報
【特許文献２】特開２００３−２９５９７５号公報
【特許文献３】特開２０１３−１０１２４８号公報
【発明の概要】
【発明が解決しようとする課題】
【０００７】
しかしながら、プラントの監視点検作業では、異なる職責や立場の作業者が様々な観点で多数の機器に対する監視作業をするものであり、画一化された単一の監視手順が設定されていることは希である。言い換えれば、監視点検作業に携わる作業者はそれぞれの立場で必要な監視項目について点検することが必要とされているのである。
【０００８】
この点、上記特許文献１〜３に記載されたような従来技術では、作業者たるユーザーがどのような職責や立場であるか、どのようなことに関心があるかとは無関係に、同じ音声情報が提供されるように構成されていた。このため、個々のユーザーにとって必要な情報のほかに多くの不必要な情報もともに提供され、必要な情報を効率的に得ることができないばかりか、不必要な情報に必要な情報が埋もれて、迅速かつ適正な対処が取れなくなる可能性があった。この弊害は、監視対象となる機器が多くなればなるほど甚だしいものとなっていた。
【０００９】
そこで本発明は、上記問題点に鑑み、ユーザーに応じた適切な情報を提供し、効率的かつ確実な監視業務を可能とするプラント監視サーバーおよびプラント監視方法を提供することを課題との１つとする。
【課題を解決するための手段】
【００１０】
（１）上記課題を解決するために、第１の発明に係るプラント監視サーバーは、ユーザーが携帯する携帯情報端末と通信可能に構成されたプラント監視サーバーであって、ユーザーの定義情報を格納するユーザー定義情報データベースと、監視対象となる機器の定義情報を格納する機器定義情報データベースと、前記監視対象となる機器に対応付けられた監視情報を格納する監視情報データベースと、前記携帯情報端末からユーザー識別情報を取得し、前記ユーザー定義情報データベースを検索し、前記ユーザー識別情報に対応付けられたユーザー定義情報を取得するユーザー定義情報取得部と、前記携帯情報端末から位置情報を取得し、前記機器定義情報データベースを検索して、前記携帯情報端末と所定の位置関係にある前記機器を特定する機器特定部と、前記監視情報データベースを検索し、取得された前記ユーザー定義情報に基づいて、特定された前記機器について提供すべき監視情報を抽出する情報抽出部と、抽出された前記監視情報に基づいて前記携帯情報端末において提供される音声に対応する音声情報を生成する音声情報生成部と、を備えることを特徴とする。
【００１１】
また上記第１の発明に係るプラント監視方法は、ユーザーが携帯する携帯情報端末とプラント監視サーバーとの間で実行されるプラント監視方法であって、前記プラント監視サーバーは、ユーザー定義情報を格納するユーザー定義情報データベースと、監視対象となる機器の定義情報を格納する機器定義情報データベースと、前記監視対象となる機器に対応付けられた監視情報を格納する監視情報データベースと、を備え、前記携帯情報端末からユーザー識別情報を取得し、前記ユーザー定義情報データベースを検索し、前記ユーザー識別情報に対応付けられたユーザー定義情報を取得するステップと、前記携帯情報端末から位置情報を取得し、前記機器定義情報データベースを検索して、前記携帯情報端末と所定の位置関係にある前記機器を特定するステップと、前記監視情報データベースを検索し、取得された前記ユーザー定義情報に基づいて、特定された前記機器について提供すべき監視情報を抽出するステップと、抽出された前記監視情報に基づいて前記携帯情報端末において提供される音声に対応する音声情報を生成するステップと、を備えることを特徴とする。
【００１２】
上記第１の発明において以下の（２）〜（４）の構成を備えていてもよい。
（２）上記（１）において、ユーザーに提供する音声の文章テンプレートを格納する文章テンプレートデータベースを備え、前記文章テンプレートデータベースを検索し、抽出された前記監視情報に対応する文章情報を生成すること。
【００１３】
（３）上記（１）または（２）において、前記ユーザー定義情報と抽出された前記監視情報とに基づいて前記文章情報の重要度を決定する重要度決定部をさらに備え、前記音声情報に基づいて生成される音声は、決定された前記重要度に対応した態様で提供されること。
【００１４】
（４）上記（１）〜（３）のいずれかにおいて、前記携帯情報端末から送信される音声情報および／または画像情報を解析し、解析された前記音声情報および／または画像情報に対応する監視情報に基づいて前記監視情報データベースを更新すること。
【００１５】
（５）上記課題を解決するために、第２の発明に係るプラント監視サーバーは、ユーザーが携帯する携帯情報端末と通信可能に構成されたプラント監視サーバーであって、ユーザーの属性情報を含む定義情報を格納するユーザー定義情報データベースと、監視対象となる機器の定義情報を格納する機器定義情報データベースと、前記監視対象となる機器に対応付けられた監視情報を格納する監視情報データベースと、前記携帯情報端末からユーザー識別情報を取得し、前記ユーザー定義情報データベースを検索し、前記ユーザー識別情報に対応付けられたユーザー定義情報を取得するユーザー定義情報取得部と、前記携帯情報端末から位置情報を取得し、前記機器定義情報データベースを検索して、前記携帯情報端末と所定の位置関係にある機器を特定する機器特定部と、前記機器定義情報データベースを検索し、特定された前記機器の識別情報を抽出する情報抽出部と、前記機器の識別情報と前記ユーザー定義情報とを前記携帯情報端末に提供する送信部と、を備えることを特徴とする。
【００１６】
上記第２の発明に係るプラント監視方法は、ユーザーが携帯する携帯情報端末とプラント監視サーバーとの間で実行されるプラント監視方法であって、前記プラント監視サーバーは、ユーザー定義情報を格納するユーザー定義情報データベースと、監視対象となる機器の定義情報を格納する機器定義情報データベースと、前記監視対象となる機器に対応付けられた監視情報を格納する監視情報データベースと、を備え、前記携帯情報端末からユーザー識別情報を取得し、前記ユーザー定義情報データベースを検索し、前記ユーザー識別情報に対応付けられたユーザー定義情報を取得するステップと、前記携帯情報端末から位置情報を取得し、前記機器定義情報データベースを検索して、前記携帯情報端末と所定の位置関係にある機器を特定するステップと、前記機器定義情報データベースを検索し、特定された前記機器の識別情報を抽出するステップと、前記機器の識別情報と前記ユーザー定義情報の一部とを送信して、当該識別情報に対応付けられた機器と通信するステップと、前記機器から提供された監視情報を取得し、当該監視情報に対応する音声を発音させるための音声情報を生成するステップと、を備えることを特徴とする。
【００１７】
上記第２の発明において以下の（６）の構成を備えていてもよい。
（６）前記携帯情報端末から送信される音声情報および／または画像情報を解析し、解析された前記音声情報および／または画像情報に対応する監視情報に基づいて前記監視情報データベースを更新すること。
【００１８】
上記第１の発明または第２の発明に係る携帯情報端末として、以下の構成を備えていてもよい。
【００１９】
（７）上記（１）〜（４）のいずれかに記載のプラント監視サーバーと通信可能に構成された携帯情報端末であって、前記文章情報に基づいて当該文章情報に対応する音声を発音させるための音声情報を生成する音声合成部を備えること。
【００２０】
（８）上記（５）または（６）に記載のプラント監視サーバーと通信可能に構成された携帯情報端末であって、提供された前記機器の識別情報および前記ユーザー定義情報の一部を送信して、当該識別情報に対応付けられた機器と通信する機器通信部と、前記機器から提供された監視情報を取得し、当該監視情報に対応する音声を発音させるための音声情報を生成する音声合成部と、を備えること。
【発明の効果】
【００２１】
本発明によれば、携帯情報端末を操作するユーザーの定義情報に基づいて抽出された監視対象機器の監視情報が音声で提供されるので、ユーザーの監視作業を阻害することなく、ユーザーの職責や立場に応じた適切な情報を提供し、効率的かつ確実な監視業務を可能とすることが可能である。
【図面の簡単な説明】
【００２２】
【図１】実施形態１に係るプラント監視システムの概要を説明するシステム図。
【図２】実施形態１に係るプラント監視サーバーのブロック図。
【図３】実施形態１に係る携帯情報端末のブロック図。
【図４】実施形態に係るユーザー定義情報データベースの構成例。
【図５】実施形態に係る機器定義情報データベースの構成例。
【図６】実施形態に係る監視情報データベースの構成例。
【図７】実施形態に係る文章テンプレートデータベースの構成例。
【図８】実施形態に係る重要度定義データベースの構成例。
【図９】実施形態に係る音声態様定義情報データベースの構成例。
【図１０】実施形態１に係る動作を説明するフローチャート。
【図１１】実施形態２に係るプラント監視システムの概要を説明するシステム図。
【図１２】実施形態２に係るプラント監視サーバーのブロック図。
【図１３】実施形態２に係る携帯情報端末のブロック図。
【図１４】実施形態２に係る動作を説明するフローチャート。
【発明を実施するための形態】
【００２３】
以下、本発明の実施の形態について詳細に説明する。なお、以下の実施形態は、本発明を説明するための例示であり、本発明はその要旨を逸脱しない限り、さまざまな変形が可能である。例えば、以下の実施形態における「…部」や「…機器」は、総てをハードウェアで構成しても、総てをコンピューターに所定のソフトウェアプログラムを実行させることにより機能的に実現してもよい。また一部をハードウェアで構成し、残りをソフトウェアプログラムの実行により機能的に実現するように構成してもよい。また、「データベース」の区分けは例示であり、複数のデータベースを１つにまとめたり、１つのデータベースを複数のデータベースに分割したり、データベースにおけるレコードやフィールドの構成を適宜編成したりして、実施形態以外の編成でデータベースを構成してもよい。またさらに、必要に応じて示す上下左右等の位置関係は、特に断らない限り、図示の表示に基づくものとする。さらにまた、図面における各種の寸法比率は、その図示の比率に限定されるものではない。
【００２４】
（０．定義）
本明細書では、以下のように用語を定義する。
「監視」：動作状態を把握すること、異常の有無を検出すること、測定情報を参照することを含む。
「監視情報」：機器が測定機器である場合にはその測定値および動作状態を含む情報をいい、機器が制御機器である場合にはその動作状態を含む情報をいう。
「プラント」：監視すべき機器が配置された工場等の空間をいい、屋内であるか屋外であるかを問わない。
【００２５】
（１．実施形態１）
本発明の実施形態１は、プラント監視サーバー側で音声情報を生成し、携帯情報端末側で当該音声情報に基づく音声を提供する態様に関する。
【００２６】
（１−１．プラント監視システム）
図１に、実施形態１に係るプラント監視システムの概要を説明するシステム図を示す。図１に示すように、本実施形態１に係るプラント監視システム１０００は、プラント監視サーバー１００、各種の監視対象となる機器２００−１、２、３、…、Ｎ（以下、機器を特定する必要がない場合には単に「機器２００」と呼ぶ。）、携帯情報端末３００、およびコントローラー５００を備えている。
【００２７】
各機器２００とコントローラー５００とは、フィールド機器通信バス４０１で相互に接続されている。フィールド機器通信バス４０１は、機器２００に対する制御信号や機器２００からの検出信号を送受信可能な通信バスであり、例えばＸｂｕｓ規格に準拠している。
【００２８】
機器２００は、プラントに設置されるフィールド機器であって、測定機器と制御機器とに大別される。「測定機器」は、プラント内の所定の物理量（流量、温度、圧力等）を測定するフィールド機器であって、例えば、流量センサ、温度センサ、圧力センサ等が該当する。「制御機器」は、プラント内で所定の制御（流量制御、温度制御、圧力制御、回転数制御等）をするフィールド機器であって、例えば、バルブ、ヒーター、ポンプ、ファン等が該当する。ただし、「機器」は、ユーザーが利用可能な情報を出力可能な装置であれば、上記測定機器および制御機器に限定されない。
【００２９】
各機器２００は、フィールド機器通信バス４０１を介してコントローラー５００と通信可能に接続されており、各機器２００の動作状態や異常の有無、機器２００が測定機器である場合の測定情報を含む監視情報を送信可能に構成されている。なお、機器２００は、図示しないシリアルインターフェース回路を介して、フィールド機器通信バス４０１と接続されている。機器２００とシリアルインターフェース回路とは、アナログ信号またはＨＡＲＴ規格等のフィールド機器通信信号を伝送する通信線で接続されている。
【００３０】
コントローラー５００は、各機器２００を統括制御する制御部である。コントローラー５００は、測定機器である機器２００から取得した測定情報（流量、温度、圧力等）を取得し、プラント監視サーバー１００に送信可能に構成されている。またコントローラー５００は、測定情報に基づいて、制御機器である機器２００に対して、制御情報（流量、温度、圧力、回転数等）を送信するように構成されている。さらにコントローラー５００は、測定機器である機器２００から取得した測定情報に基づいて当該機器２００の動作状態が適正範囲を外れている場合や、制御機器を含む機器２００から異常を示す信号が送信された場合には、その旨を示すステータス情報をプラント監視サーバー１００に送信可能に構成されている。
【００３１】
プラント監視サーバー１００、携帯情報端末３００、およびコントローラー５００は、上位ネットワーク４００で相互に接続されている。上位ネットワーク４００は、有線及び／又は無線によって通信可能なコンピューターネットワークであり、例えば、イーサネット（登録商標）規格に準拠したＬＡＮ（Ｌｏｃａｌ  Ａｒｅａ  Ｎｅｔｗｏｒｋ）やインターネット等のＷＡＮ（Ｗｉｄｅ  Ａｒｅａ  Ｎｅｔｗｏｒｋ）である。なお、プラント監視サーバー１００と携帯情報端末３００との通信プロトコルとしては、ＩｒＤＡ（Ｉｎｆｒａｒｅｄ  Ｄａｔａ  Ａｓｓｏｃｉａｔｉｏｎ）等の赤外線短距離通信規格、Ｂｌｕｅｔｏｏｔｈ（登録商標）等の近距離無線通信規格、 ＨＩＤ（Ｈｕｍａｎ  Ｉｎｔｅｒｆａｃｅ  Ｄｅｖｉｃｅ  Ｐｒｏｆｉｌｅ）等のコンピューターの周辺機器接続規格、 ＰＡＮ（Ｐｅｒｓｏｎａｌ  Ａｒｅａ  Ｎｅｔｗｏｒｋ  Ｐｒｏｆｉｌｅ）等の機器間 無線ネットワーク規格、ＨＳＰ（Ｈｅａｄｓｅｔ  Ｐｒｏｆｉｌｅ）等の ヘッドセット（イヤホンマイク）接続規格、第３世代通信規格（Ｗ−ＣＤＭＡ等）や第３．９世代／第４世代通信規格（ＬＴＥ等）といった携帯電話用の移動体通信規格、ＰＨＳ（Ｐｅｒｓｏｎａｌ  Ｈａｎｄｙ−ｐｈｏｎｅ  Ｓｙｓｔｅｍ）等の小型移動体通信規格を適用してもよい。
【００３２】
携帯情報端末３００は、作業者であるユーザーが携帯可能なコンピューター装置であり、後述するように、少なくとも通信機能、位置検出機能、音声発生機能を有する。本実施形態では、携帯情報端末３００は、ユーザーが装着するウェアラブルコンピューターであるものとする。携帯情報端末３００は、ユーザーの入力により記憶したユーザー識別情報、および、位置検出機能を利用して検出した位置情報をプラント監視サーバー１００に送信可能に構成されている。またオプショナルで、ユーザーの音声に対応して生成した音声情報および／または撮影機能を利用して生成した画像情報をプラント監視サーバー１００に送信可能に構成されている。携帯情報端末３００の詳細については、図３において後述する。
【００３３】
（１−２．プラント監視サーバー１００）
プラント監視サーバー１００は、上位ネットワーク４００を介して、携帯情報端末３００からユーザー識別情報、位置情報、選択的に、音声情報および画像情報等を受信し、後述する処理によって抽出した情報を携帯情報端末３００に送信可能に構成されている。プラント監視サーバー１００は、典型的にはプラントに一台設置されているが、複数のコンピューター装置が分散処理を実行することにより、総合的に実現されるように構成してもよい。またプラント監視サーバー１００は、クラウドコンピューティングにより提供されるものであってもよい。またプラント監視サーバー１００は、コントローラー５００を介して、各機器２００の動作状態や異常の有無、機器２００が測定機器である場合の測定情報を含む監視情報を受信することが構成されている。
【００３４】
図２に、実施形態１に係るプラント監視サーバー１００のブロック図を示す。プラント監視サーバー１００は、図示しないが、ハードウェアとして、中央演算装置（ＣＰＵ：Ｃｅｎｔｒａｌ  Ｐｒｏｃｅｓｓｉｎｇ  Ｕｎｉｔ）、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）、インターフェース回路、大容量記憶装置、通信装置等、汎用コンピューター装置やワークステーションとしての構成を備える。ＣＰＵは、本発明に係るプラント監視方法に係るソフトウェアプログラムは、例えば大容量記憶装置に格納されており、実行時にＲＡＭに読み込まれ、ＣＰＵにより当該プログラムを実行することにより、図２に示すような機能ブロックが実現される。
【００３５】
図２に示すように、本実施形態１に係るプラント監視サーバー１００は、データベースとして、ユーザー定義情報データベース１０１、機器定義情報データベース１０２、監視情報データベース１０８、文章テンプレートデータベース１０７、および重要度定義データベース１１２を備える。これらデータベースは、ＲＡＭまたは大容量記憶装置等の記憶部が仮想的に分割されることにより構成されている。各データベースに格納される情報は、図面で説明するような文字を表すテキストデータであってよいが、コンピューターが認識可能な、当該文字に対応する数値・記号であってもよい。またプラント監視サーバー１００は、受信部１１３および送信部１１４を備え、機能ブロックとして、ユーザー定義情報取得部１０３、位置判定部１０４、情報抽出部１０５、音声情報生成部１０６、情報解析部１０９、監視情報更新部１１０、および重要度決定部１１１を備える。以下、具体的に説明する。
【００３６】
（受信部１１３）
受信部１１３は、上位ネットワーク４００を介して、携帯情報端末３００から、少なくともユーザー識別情報および位置情報を受信するように構成されている。受信部１１３は、さらに必要に応じて、携帯情報端末３００から音声情報および／または画像情報を受信する。さらに受信部１１３は、コントローラー５００から送信されてきた各機器２００の測定情報またはステータス情報を含む監視情報を受信する。
【００３７】
（ユーザー定義情報データベース１０１）
ユーザー定義情報データベース１０１は、ユーザーの定義情報を格納するデータベースであり、主としてユーザー定義情報取得部１０３に参照される記憶部である。
【００３８】
図４に、本実施形態に係るユーザー定義情報データベース１０１の構成例を示す。図４に示すように、ユーザー定義情報データベース１０１は、「ユーザーＩＤ」、「所属」、「職責」、「プリファランス」の各フィールドを例示的に備える。「ユーザーＩＤ」は、ユーザーを特定するためにユーザーごとに割り振られるユーザー識別情報であり、例えばアルファベット、番号等で記録される。図４では、ユーザーＩＤとして例示的に、アルファベット「Ａ」〜「Ｆ」が割り振られている。「所属」は、ユーザーの所属を示す情報であり、例えば組織内のグループ、部課名等が割り振られる。図４では、所属として例示的に、「Ｐグループ」、「Ｑグループ」、「Ｒグループ」が割り振られている。「職責」は、ユーザーの職責を示す情報であり、例えば監視作業における役割や組織内での役職等が割り振られる。図４では、職責として例示的に、「日次点検」、「月次点検」、「監査」が割り振られている。「プリフェランス」は、ユーザーが任意に設定するフィールドで、ユーザーの関心事、すなわちユーザーが特に懸念しており監視対象としたい事象を予め記録するものである。図４では、プリフェランスとして例示的に、「センサ圧力」、「ポンプ」が割り振られている。
【００３９】
（ユーザー定義情報取得部１０３）
図２に戻り、ユーザー定義情報取得部１０３は、携帯情報端末３００からユーザー識別情報を取得し、上記ユーザー定義情報データベース１０１を検索し、当該ユーザー識別情報に対応付けられたユーザーの定義情報を取得する機能ブロックである。例えば、携帯情報端末３００から送信されてきたユーザー識別情報が「Ｃ」であった場合、ユーザー定義情報取得部１０３は、ユーザー定義情報データベース１０１を検索し、「ユーザーＩＤ」が「Ｃ」であるレコードから、「所属」として「Ｐグループ」、「職責」として「監査」、「プリファランス」として「センサ圧力」を読み出す。また例えば、携帯情報端末３００から送信されてきたユーザー識別情報が「Ｆ」であった場合、ユーザー定義情報取得部１０３は、ユーザー定義情報データベース１０１を検索し、「ユーザーＩＤ」が「Ｆ」であるレコードから、「所属」として「Ｒグループ」、「職責」として「月次点検」、「プリファランス」として「Ｎ／Ａ」（適用対象外）を読み出す。
【００４０】
（機器定義情報データベース１０２）
機器定義情報データベース１０２は、監視対象となる機器の定義情報を格納するデータベースであり、機器特定部１０４や情報抽出部１０５に参照される記憶部である。
【００４１】
図５に、本実施形態に係る機器定義情報データベース１０２の構成例を示す。図５に示すように、機器定義情報データベース１０２は、「機器ＩＤ」、「設置位置」、「種別」、「測定制御対象」、「適正範囲」、「単位」の各フィールドを例示的に備える。「機器ＩＤ」は、各々の機器を特定するために機器ごとに割り振られる識別情報であり、例えば番号やアルファベット等で記録される。図５では、機器ＩＤとして例示的に、番号「１００１」〜「１００６」が割り振られている。「設置位置」は、各々の機器の設置位置を示す情報である。設置位置は、携帯情報端末３００がＧＰＳ（Ｇｌｏｂａｌ  Ｐｏｓｉｔｉｏｎｉｎｇ  Ｓｙｓｔｅｍ）で位置を検出するように構成されている場合には、ＧＰＳの出力と照合可能な情報であることが好ましく、例えば、緯度／経度に対応する情報が割り振られる。図５では、設置位置として例示的に、（Ｎ１，Ｅ１）（Ｎ：北緯、Ｅ：東経）〜「Ｎ６，Ｅ６」が割り振られている。ただし、携帯情報端末３００が他の手段、例えば一次元、二次元コードの読み取りやユーザーの入力により位置を検出する場合には、それらの手段と対比可能な情報を格納する。「種別」は、機器の種類を示す情報であり、例えば測定機器であればどのような物理量を検出するセンサであるか、制御機器であればどのような制御手段であるか等が割り振られる。図５では、種別として例示的に、測定機器に対しては「流量センサ」、「圧力センサ」、「温度センサ」が割り振られ、制御機器に対しては「流量制御弁」、「ポンプ」、「ファン」が割り振られている。「測定制御対象」は、機器の測定または制御に係る物理量を示す情報である。図５では、測定制御対象として例示的に、測定機器に対しては「流量」、「圧力」、「温度」が割り振られ、制御機器に対しては「流量」、「回転数」、「回転数」が割り振られている。「適正範囲」は、各々の機器で検出されるべき測定値または制御されるべき駆動量の範囲を示す情報である。「単位」は、上記「適正範囲」で示される数値の単位を指定する範囲である。図５では、単位として例示的に、「ｍ3／ｈ」（流量）、「Ｐａ」（圧力）、「℃」（温度）、「ｒｐｍ」（回転数）が示されている。
【００４２】
（機器特定部１０４）
図２に戻り、機器特定部１０４は、携帯情報端末３００から位置情報を取得し、機器定義情報データベース１０２を検索して、携帯情報端末３００と所定の位置関係にある機器２００を特定する機能ブロックである。具体的には、携帯情報端末３００に対し所定の近傍領域内に位置する機器２００を発見した場合、当該機器２００を「近傍」にあるものとして特定する。例えば、近傍領域を携帯情報端末３００から判定距離Δｄ以内であると設定する場合、ある機器２００が判定距離Δｄ以内にあれば「近傍」にある機器２００と判定する。判定距離に代えて、携帯情報端末３００を中心として緯度と経度からなる複数の座標点で囲まれる範囲を「近傍領域」として設定してもよい。また携帯情報端末３００が機器２００の「近傍」であって携帯情報端末３００の正面が向いている方角に当該機器２００が存在する場合、機器特定部１０４は、当該機器２００を「正面」にある機器２００として特定する。例えば、携帯情報端末３００から送信されてきた位置情報が（北緯、東経、方角）＝（Ｎ３’，Ｅ３’，Ｄ３）であって、位置（Ｎ３，Ｅ３）と位置（Ｎ３’，Ｅ３’）との距離ｄが判定距離Δｄ以下であった場合（ｄ≦Δｄ）、機器特定部１０４は、機器ＩＤ「１００３」の温度センサが「近傍」に存在する機器２００であると特定する。また携帯情報端末３００の位置（Ｎ３’，Ｅ３’）から方角Ｄ３の方向に温度センサが位置していた場合、機器特定部１０４は、機器ＩＤ「１００３」の温度センサが「正面」に存在する機器２００であると特定する。なお、携帯情報端末３００が仰角を検出可能に構成されているのであれば、方角に加えて仰角を位置情報に加えてもよい。例えば、水平方向を０°として、上向きの仰角を正の角度、下向きの仰角を負の角度として送受信し、機器特定に用いることが可能である。
【００４３】
なお、本実施形態では、監視対象となる機器２００が「近傍」であって携帯情報端末３００の向いている方向に存在している場合に「正面」と判断するが、これに限らない。例えば、監視対象となる機器２００と携帯情報端末３００との距離とは無関係に、携帯情報端末３００の向いている方向のみに基づいて「正面」と判断してもよい。携帯情報端末３００（ユーザー）が正面を向いていれば、ユーザーはどの機器２００に注視しているかを自ら把握しているので相対的に遠距離に機器２００が配置されていてもユーザーはそれと認識できるからである。また「正面」と判断する条件となる機器２００と携帯情報端末３００との距離ｄ２を「近傍」と判断する距離ｄとは異なる距離に設定してもよい。例えば、「近傍」と判断する距離ｄに比べて「正面」と判断する距離ｄ２を大きく設定することは妥当である。上述したように、正面を向いていれば、相対的に遠距離に機器２００が配置されていてもユーザーはそれと認識できるが、正面を向いていなければ、相対的に近距離に機器２００が配置されていなければユーザーはどの機器２００が監視対象とされているのか認識できないからである。
【００４４】
（監視情報データベース１０８）
監視情報データベース１０８は、監視対象となる機器に対応付けられた監視情報を格納するデータベースであり、情報抽出部１０５に参照され、監視情報更新部１１０により更新可能に構成される記憶部である。
【００４５】
図６に、本実施形態に係る監視情報データベース１０８の構成例を示す。図６に示すように、監視情報データベース１０８は、「機器ＩＤ」、「種別」、「測定制御対象」、「測定値」、「ステータス」の各フィールドを例示的に備える。「機器ＩＤ」、「種別」、および「測定制御対象」は各々、機器定義情報データベース１０２の同名のフィールドと同じ情報である。「測定値」は、測定機器である場合にはその測定値、制御機器である場合はその制御量を示す情報である。「ステータス」は、機器の動作状態が正常であるか異常であるか等のステータスを示す情報である。図６では、ステータスとして例示的に、「ＯＫ」（正常）または「ＮＧ」（異常）のいずれかが格納される。当該「ステータス」フィールドには、コントローラー５００（図１参照）が各機器２００との通信により把握した動作状態が反映される。例えば、「ステータス」は、機器２００が機器定義情報データベース１０２の「適正範囲」内の測定値を返してきた場合には「ＯＫ」とされ、「適正範囲」外の測定値が返されたり「適正範囲」外の駆動量で制御されたりした場合に「ＮＧ」とされる。また「ステータス」は、機器２００の動作状態が正常と判断した場合に「ＯＫ」とされ、異常と判断した場合に「ＮＧ」とされる。図６では、機器ＩＤ「１００３」の温度センサが「適正範囲」内の測定値であったため「ステータス」が「ＯＫ」とされ、機器ＩＤ「１００２」の温度センサが「適正範囲」外の測定値であったため「ステータス」が「ＮＧ」とされ、機器ＩＤ「１００６」のファンが「適正範囲」を外れる測定値（駆動量）であったため「ＮＧ」とされている。また機器ＩＤ「１００４」の流量制御弁が、「適正範囲」で制御されているが、異常を示す情報を返信してきたため、「ステータス」が「ＮＧ」とされている。
【００４６】
（情報抽出部１０５）
図２に戻り、情報抽出部１０５は、監視情報データベース１０８を検索し、取得されたユーザー定義情報に基づいて、特定された機器２００について、提供すべき監視情報を抽出する機能ブロックである。具体的には、情報抽出部１０５は、機器特定部１０４が「近傍」または「正面」であると判定した機器２００について機器ＩＤをインデックスとして監視情報データベース１０８を検索し、該当する機器２００の「測定値」および「ステータス」を抽出して出力する。例えば、「近傍」に位置すると判定された機器２００が機器ＩＤ「１００３」の温度センサであった場合、情報抽出部１０５は、監視情報データベース１０８から測定値「２６」とステータス「ＯＫ」を抽出する。「正面」に位置すると判定された機器２００が機器ＩＤ「１００６」のファンであった場合、情報抽出部１０５は、監視情報データベース１０８から測定値（駆動量）「３２０」とステータス「ＮＧ」を抽出する。
【００４７】
（文章テンプレートデータベース１０７）
文章テンプレートデータベース１０７は、ユーザーに提供する音声の文章テンプレートを格納し、主として音声情報生成部１０６に参照される記憶部である。
【００４８】
図７に、文章テンプレートデータベース１０７の構成例を示す。図７に示すように、文章テンプレートデータベース１０７は、「文章＃」、「項目１」、「項目２」、「テキスト１」、「項目３」、「テキスト２」、「項目４」、「項目５」、「項目６」、「テキスト３」の各フィールドを例示的に備える。「文章＃」は、文章の種類を特定するユニークな番号である。図７では例示的に、文章「１」が測定機器用のテキストであり、文章「２」が制御機器用のテキストとなっている。「項目」の各フィールドは、監視情報データベース１０８のどのフィールドを参照するかを指定する情報である。図７では、文章「１」について「項目１」は監視情報データベース１０８の「種別」フィールドを参照し、「項目２」は「機器ＩＤ」フィールドを参照し、「項目３」は「測定制御対象」フィールドを参照し、「項目４」〜「項目６」は「測定値」、「単位」、および「ステータス」のそれぞれを参照することを示している。また文章「２」について「項目１」、「項目２」、および「項目６」は文章「１」と同じであるが、「項目３」〜「項目５」は空欄となっている。「テキスト」の各フィールドは、それぞれの「盲目」に付随する、文章を構成する助詞や語尾変換、動詞の活用形を示している。図７では、文章「１」について、「テキスト１」が助詞「の」を、「テキスト２」が助詞「は」を、「テキスト３」が語尾「です」を示す。また文章「２」について、「テキスト１」および「テキスト３」は文章「１」と同じであるが、「テキスト２」が「ステータスは」となっている。
【００４９】
（音声情報生成部１０６）
図２に戻り、音声情報生成部１０６は、抽出された監視情報に基づいて携帯情報端末３００において提供される音声に対応する音声情報を生成する機能ブロックである。具体的には、音声情報生成部１０６は、機器特定部１０４が「近傍」または「正面」に位置すると判定した機器２００について、情報抽出部１０５が監視情報データベース１０８から抽出した情報（「測定値」、「ステータス」）と、機器定義情報データベース１０２から読み出した情報（「機器ＩＤ」、「種別」、「測定制御対象」、「単位」）とに基づいて、文章テンプレートデータベース１０７に格納されている文章テンプレートに従った文章情報を生成する。文章テンプレートとしては、対象となる機器２００が測定機器である場合には文章＃「１」のテンプレートが選択され、制御機器である場合には文章＃「２」のテンプレートが選択される。例えば、「近傍」または「正面」に位置すると判定した機器２００が機器ＩＤ「１００３」の温度センサであった場合、音声情報生成部１０６は、文章テンプレートデータベース１０７の測定機器についての文章テンプレートである文章＃「１」を参照し、「項目１」に機器ＩＤ「１００３」の種別「温度センサ」を、「項目２」に機器ＩＤ「１００３」を、「項目３」に測定制御対象「温度」を、「項目４」に測定値「２６」を、「項目５」に単位「℃」を、「項目６」にステータス「ＯＫ」をそれぞれ当て嵌め、文章情報「温度センサ１００３の温度は２６℃ＯＫです」というテキスト列を生成する。また、「近傍」または「正面」に位置すると判定した機器２００が機器ＩＤ「１００６」のファンであった場合、音声情報生成部１０６は、文章テンプレートデータベース１０７の制御機器についての文章テンプレートである文章＃「２」を参照し、「項目１」に機器ＩＤ「１００６」の種別「ファン」を、「項目２」に機器ＩＤ「１００６」を、「項目６」にステータス「ＮＧ」をそれぞれ当て嵌め、「ファン１００６のステータスはＮＧです」というテキスト列を再現するための文章情報を生成する。文章情報に含まれるデータには、音声合成されることにより上記したテキスト列が読み上げられるものであれば限定はなく、例えばアスキーコードで表現されたデータでもよいし、テキスト読み上げシステムにおける記号化言語表現に変換したデータでもよい。
【００５０】
（重要度定義データベース１１２）
重要度定義データベース１１２は、ユーザー定義情報と監視情報とに応じた文章情報の重要度を定義するデータベースであり、主として重要度決定部１１１により参照される記憶部である。
【００５１】
図８に、重要度定義データベース１１２の構成例を示す。図８に示すように、重要度定義データベース１１２は、「設定＃」、「所属」、「職責」、「ステータス」、「距離」、「プリファランス」、「重要度」の各フィールドを例示的に備える。「設定＃」は、重要度設定を特定するユニークな番号である。「所属」、「職責」、および「プリフェランス」はユーザー定義情報データベース１０１の同名のフィールドと同じ情報である。なお「ａｎｙ」は該当フィールドに何が定義されていてもよいことを意味する。「Ｎ／Ａ」は当該フィールドの設定は考慮しないことを意味する。「ステータス」は、監視情報データベース１０８の同名のフィールドと同じ情報である。「距離」は、後述する機器特定部１０４が判定する情報に対応する情報である。図８では、「距離」フィールドとして「近傍」または「正面」が格納されている。「重要度」は、以上の各フィールドの組合せに対応して設定される重要度を数値で示した情報である。図８では、「重要度」として「３」、「２」、「１」が設定されている。本実施形態では重要度が高いほど数値が大きくなるものとする。
【００５２】
例えば、図８では、重要度設定＃「１」は、ユーザーの「所属」や「職責」、「プリファランス」とは無関係に、「近傍」に位置する機器について「ステータス」が「ＮＧ」である場合に、重要度「２」として音声情報を送出すべきという設定を意味する。プラント監視中のユーザーの近傍に動作状態が異常であると検出された機器２００が存在することを注意喚起するためである。重要度設定＃「２」は、ユーザーの「所属」や「職責」、「プリファランス」とは無関係に、「正面」に位置する機器について「ステータス」が「ＮＧ」である場合に、重要度「３」として音声情報を送出すべきという設定を意味する。プラント監視中のユーザーの正面に配置されている機器２００の動作状態が異常であることを注意喚起するためである。重要度設定＃「３」は、「所属」は問わず、「職責」が「監査」となっているユーザーに対しては、「近傍」に位置する機器２００が「ファン」であって、ステータスが「ＯＫ」である場合に、重要度「１」として音声情報を送出すべきという設定を意味する。重要度設定＃「４」は、「所属」は問わず、「職責」が「監査」となっているユーザーに対しては、「正面」に位置する機器２００が「センサ」であって、ステータスが「ＯＫ」である場合に、重要度「１」または「２」として音声情報を送出すべきという設定を意味する。監査業務に就いているユーザーの近傍または正面にある機器２００の動作状態が正常であることを参考までに報知するものである。一方、重要度設定＃「１２」は、「所属」、「職責」は問わず、「プリファランス」として対象機器が設定されている場合には、「正面」に位置する機器２００のステータスが「ＯＫ」であっても、重要度「２」で音声情報を送出すべきという設定を意味する。「プリファランス」が設定されている場合にはユーザーの関心度が高いことを意味するため、指定された機器２００と向き合った場合に、高い重要度で「プリファランス」で指定された機器２００である旨の注意喚起をするためである。
【００５３】
（重要度決定部１１１）
図２に戻り、重要度決定部１１１は、ユーザー定義情報取得部１０３によって抽出されたユーザー定義情報と、情報抽出部１０５によって抽出された監視情報とに基づいて、音声情報生成部１０６が生成した文章情報の重要度を決定する機能ブロックである。具体的には、重要度決定部１１１は、携帯情報端末３００を使用しているユーザーのユーザー定義情報（「所属」、「職責」、「プリファランス」）、抽出された監視情報（「ステータス」）、選択的に、監視対象となっている機器２００の位置情報（「近傍」か「正面」かの「位置関係」）の組合せに該当するレコード（「設定＃」）を重要度定義データベース１１２から検索する。そして該当するレコードの「重要度」を読み出す。例えば、携帯情報端末３００を使用するユーザーがユーザーＩＤ「Ａ」（図４参照）に該当し、機器ＩＤ「１００１」（図６参照）で特定される機器２００の正面に立った場合、重要度定義データベース（図８参照）の設定＃「７」が抽出され、重要度「１」が出力される。また携帯情報端末３００を使用するユーザーがユーザーＩＤ「Ｂ」（図４参照）に該当し、機器ＩＤ「１００２」（図６参照）で特定される機器２００の近傍を通過している場合、重要度定義データベース（図８参照）の設定＃「１」が抽出され、重要度「２」が出力される。さらに携帯情報端末３００を使用するユーザーがユーザーＩＤ「Ｃ」（図４参照）に該当し、機器ＩＤ「１００３」（図６参照）で特定される機器２００の正面に立った場合、「プリファランス」が設定されているため、重要度定義データベース（図８参照）の設定＃「１２」が抽出され、重要度「２」が出力される。
【００５４】
（情報解析部１０９）
情報解析部１０９は、携帯情報端末３００から送信された音声情報および／または画像情報を解析して、監視情報データベース１０８に登録すべき監視情報を抽出する機能ブロックである。情報解析部１０９は、選択的に採用可能なオプショナルな機能ブロックである。具体的に、情報解析部１０９は、送信された音声情報を公知の技術を適用して音声認識して文字情報または数値情報に変換し、監視情報データベース１０８に格納すべき測定値またはステータスに関する情報を抽出する。また情報解析部１０９は、送信された画像情報を公知の技術を適用して画像認識して文字情報または数値情報に変換し、監視情報データベース１０８に格納すべき測定値またはステータスに関する情報を抽出する。
【００５５】
（監視情報更新部１１０）
監視情報更新部１１０は、情報解析部１０９によって抽出された監視情報または機器ネットワークを介して各機器２００から提供された監視情報を参照して、監視情報データベース１０８に格納されている監視情報を更新または追加する機能ブロックである。監視情報更新部１１０は、選択的に採用可能なオプショナルな機能ブロックである。具体的に、監視情報更新部１１０は、情報解析部１０９が測定値またはステータスに関する情報を抽出してきた場合には、これらの情報に基づいて監視情報データベース１０８を更新する。例えば、測定値やステータスが抽出された場合には、現時点で「近傍」または「正面」に存在するものとして認識されている機器２００の該当機器ＩＤのレコードにおいて、測定値やステータスを上書き保存する。
【００５６】
また監視情報更新部１１０は、コントローラー５００経由で各機器２００についての測定情報またはステータス情報を含む監視情報を受信したら、これらの情報に基づいて監視情報データベース１０８を更新する。例えば、測定情報やステータス情報を受信した場合には、これら情報に付随している機器２００の識別情報に基づき監視情報データベース１０８を検索し、当該機器２００の該当機器ＩＤのレコードにおける「測定値」や「ステータス」フィールドに格納する。
【００５７】
（送信部１１４）
送信部１１４は、ネットワーク４００を介して、音声情報生成部１０６で生成された文章情報および重要度決定部１１１で決定された重要度情報を携帯情報端末３００へ送信するように構成されている。送信部１１４は、図示しないが、さらに必要に応じて、画像情報を携帯情報端末３００へ送信するように構成されていてもよい。
【００５８】
（１−３．携帯情報端末３００）
本実施形態１に係る携帯情報端末３００は、上記プラント監視サーバー１００と通信可能に構成され、プラント監視サーバー１００から送信された文章情報および重要度情報に基づいて当該文章情報に対応する音声を特定された重要度に応じた態様で提供可能に構成されている。携帯情報端末３００は、少なくとも通信機能、位置検出機能、音声発生機能を有する携帯可能なコンピューター装置であり、本実施形態１では、腕時計タイプまたは眼鏡タイプのウェアラブルコンピューターとする。ただし、携帯情報端末３００は、その他のハードウェア態様として、ＨＭＤ（Ｈｅａｄ  Ｍｏｕｎｔ  Ｄｉｓｐｌａｙ）、スマートフォン、ノート型またはラップトップ型パーソナルコンピューター、携帯電話、ＰＤＡ（Ｐｅｒｓｏｎａｌ  Ｄｉｇｉｔａｌ  Ａｓｓｉｓｔａｎｔｓ）等を使用することも可能である。
【００５９】
図３に本実施形態１に係る携帯情報端末３００のブロック図を示す。図３に示すように、携帯情報端末３００は、ウェアラブルコンピューターとしての構成を備えており、受信部３０１、送信部３０２、およびメモリ３１０とともに、機能ブロックとして、音声合成部３０３、画像生成部３０５、音声取得部３０６、画像取得部３０７、位置情報取得部３０８、および操作情報取得部３０９を備えている。また携帯情報端末３００は、データベースとして、音源データベース３０４ａおよび音声態様特定データベース３０４ｂを備えている。
【００６０】
携帯情報端末３００には、ヘッドセット３２０が着脱自在に接続されるように構成されている。ヘッドセット３２０は、スピーカー３２１、ディスプレイ３２２、およびマイクロフォン３２３を備える。
【００６１】
なお、携帯情報端末３００は、ハードウェアとしては、通常のパーソナルコンピューターが具備する構成を全て備える。例えば、図示しないが、ＣＰＵ（Ｃｅｎｔｒａｌ  Ｐｒｏｃｅｓｓｉｎｇ  Ｕｎｉｔ：中央演算装置）、ＲＡＭ（Ｒａｎｄｏｍ  Ａｃｃｅｓｓ  Ｍｅｍｏｒｙ）、ＲＯＭ（Ｒｅａｄ−ｏｎｌｙ  Ｍｅｍｏｒｙ）、インターフェース回路等を備える。例えば、音源データベース３０４ａおよび音声態様特定データベース３０４ｂはＲＯＭの一部の記憶領域が割り当てられ、メモリ３１０はＲＡＭの一部の記憶領域が割り当てられる。上記機能ブロックは、ＣＰＵがＲＯＭに記憶され、またはＲＡＭに転送されたソフトウェアプログラムを実行することにより機能的に実現されるものである。
【００６２】
（受信部３０１）
受信部３０１は、上位ネットワーク４００を介して、プラント監視サーバー１００から、少なくとも文章情報および重要度情報を受信するように構成されている。また受信部３０１は、選択的に、プラント監視サーバー１００から画像情報を受信する。
【００６３】
（音源データベース３０４ａ）
音源データベース３０４ａは、文章情報に含まれるテキストの各々に対する音声を再現するための波形データを音声合成部３０３に参照可能に格納する音声ライブラリである。音源データとしては、種々の音声合成方法に対応する音声を再現するための波形データが格納される。例えば、音声合成方法として波形接続法を適用する場合には、テキストの各々について人間の音声を再現する波形データが格納される。フォルマント合成法を適用する場合には、実効的に調整された人工的な音声の波形データが格納される。特に音源データベース３０４ａは、１つのテキストについて異なる態様の複数の波形データを格納している。例えば、１つのテキストについて、男性の声に対応する波形データと女性の声に対応する波形データを格納する。
【００６４】
（音声態様特定データベース３０４ｂ）
音声態様特定データベース３０４ｂは、プラント監視サーバー１００から送信された重要度情報に対応してどのような音声態様を割り当てるかを定義する対照テーブルデータである。
【００６５】
図９に本実施形態における音声態様特定データベース３０４ｂの構成例を示す。図９に示すように、本実施形態で使用される重要度「１」〜「３」に対応して、「声質」、「回数」、および「音量」が定義されている。「声質」は、音声合成される音声の特徴、例えば男性の声であるか女性の声であるかを定義する。「回数」は、提供された文章情報に対応するテキスト列の繰り返し発音回数を定義する。「音量」は、発音の音量を定義する。図９では、重要度「１」では、声質が「男性」で繰り返し回数が「１」回のみ、音量「小」でテキスト列が読み上げられる。重要度「１」は機器２００の「ステータス」が「ＯＫ」であって問題のない状態に対応しており、万一聞き逃しても影響がないため、落ち着いた声質で一回、小さな音量で提供されることで問題ないからである。また重要度「２」では、声質が「男性」で繰り返し回数が「２」回、音量「中」でテキスト列が読み上げられる。重要度「２」は、ユーザーの「職責」が「監査」であったり「測定値」や「ステータス」の確認に高い責務を負っている「グループ」の監視であったりするため、聞き逃しがないように複数回、中程度の音量で提供することが妥当だからである。一方、重要度「３」では、声質が「女性」で「繰り返し」再生となり、音量「大」でテキスト列が読み上げられる。重要度「３」は機器２００の「ステータス」が「ＮＧ」であって何らかの措置を採ることが要求される状況であるため、聞き逃しのないように、かつ、異常状態であることを注意喚起可能なように、周囲の騒音レベルが大きくても聞き取り易い女性の高い声質で繰り返し、大音量で提供することが必要だからである。
【００６６】
（音声合成部３０３）
図３に戻り、音声合成部３０３は、プラント監視サーバー１００から提供された文章情報に基づいて当該文章情報に対応する音声を発音させるための音声情報を生成する機能ブロックである。具体的には、文章情報に含まれているデータを順次参照し、参照された順序で音源データベース３０４ａに格納されている波形データを参照する。このとき、音声合成部３０３は、プラント監視サーバー１００から提供された重要度情報をインデックスとして音声態様定義情報データベース３０４ｂを参照し、重要度情報によって特定される音声態様を取得する。そして音声合成部３０３は、重要度情報で特定される重要度に対応した声質の波形データを音源データベース３０４ａから読み出して音声合成し、重要度に応じた音量で、重要度に対応した回数だけ発音させる音声情報を生成する。この音声情報に対応した音声は、ヘッドセット３２０のスピーカー３２１から当該ヘッドセット３２０を装着するユーザーに提供される。
【００６７】
（画像生成部３０５）
画像生成部３０５は、プラント監視サーバー１００から文章情報が提供された場合に当該文章情報に対応したテキスト列を画像表示させる画像データを生成し、ディスプレイ３２２に表示させようになっている。文章情報に対応したテキスト列が、音声で提供されるとともに、画像でも提供されるので、万一音声を聞き逃した場合でも、ユーザーはその内容をテキスト列で視認することが可能である。また、画像生成部３０５は、プラント監視サーバー１００からその他の画像情報が提供された場合にも、当該画像情報に対応した画像を表示させる画像データを生成し、ディスプレイ３２２に提供するようになっている。
【００６８】
（音声取得部３０６）
音声取得部３０６は、ヘッドセット３２０のマイクロフォン３２３からユーザーの音声が入力された場合にこれに対応する音声情報をデジタル信号に変換し、プラント監視サーバー１００に転送する機能ブロックである。当該音声情報は、プラント監視サーバー１００の情報解析部１０９で解析されるものである。上述したように、当該音声情報に機器２００の測定値やステータスに係る情報が含まれていた場合には、その機器２００の監視情報として監視情報データベース１０８に監視されることになる。
【００６９】
（画像取得部３０７）
画像取得部３０７は、カメラ３３１から出力された、所定の画像に対応する画像情報をプラント監視サーバー１００に転送する機能ブロックである。当該画像情報は、プラント監視サーバー１００の情報解析部１０９で解析されるものである。上述したように、当該画像情報に機器２００の測定値やステータスに係る情報が含まれていた場合には、その機器２００の監視情報として監視情報データベース１０８に監視されることになる。
【００７０】
（位置情報取得部３０８）
位置情報取得部３０８は、ＧＰＳアンテナ３３２により受信されたＧＰＳ衛星信号に基づいて当該携帯情報端末３００の現在位置を取得する機能ブロックである。また位置情報取得部３０８は、ＧＰＳ衛星信号と内蔵された方位検出デバイス（電子コンパスや方位検出ジャイロ等）の出力を参照して、当該携帯情報端末３００が向いている方角を検出する。そして位置情報取得部３０８は、現在位置をプラント監視サーバー１００との間で取り決めた形式、例えば、（緯度、経度、方角）等の組合せでプラント監視サーバー１００に提供する。なお、位置情報取得部３０８による現在位置の取得は、ＧＰＳ衛星信号を利用する代わりに、屋内用の位置情報特定システム、例えば無線ＬＡＮを用いた位置特定、ＱＲ（Ｑｕｉｃｋ  Ｒｅｓｐｏｎｓｅ）コードの読み取りによる位置特定、超音波（赤外線含む）による位置特定等の技術を用いてもよい。無線ＬＡＮを用いる位置特定としては、例えば通信が確立されたルーターを判別して位置を特定する。ＱＲコード（登録商標）を用いる位置特定としては、例えば機器２００に特異なＱＲコードを貼付し、カメラ３３１でＱＲコードを読み取ることで携帯情報端末３００の近傍に存在する特定の機器２００を特定する。超音波による位置特定としては、携帯情報端末３００および機器２００の双方に超音波通信機能を持たせ、超音波通信を行うことで携帯情報端末３００と通信する機器２００を特定する。
【００７１】
（操作情報取得部３０９）
操作情報取得部３０９は、ユーザーが操作部３３３を操作することにより入力した文字情報をメモリ３１０に格納する機能ブロックである。メモリ３１０に格納された文字情報のうち、ユーザー識別情報については、携帯情報端末３００とプラント監視サーバー１００との通信が確立されたのち、適時にプラント監視サーバー１００に送信される。
【００７２】
（送信部３０２）
送信部３０２は、ネットワーク４００を介して、操作情報取得部３０９により取得されたユーザー識別情報、位置情報取得部３０８により取得された位置情報、選択的に、音声取得部３０６により取得された音声情報、または、画像取得部３０７により取得された画像情報をプラント監視サーバー１００へ送信するように構成されている。
【００７３】
（１−４．動作）
図１０に、本実施形態１に係る動作を説明するフローチャートを示す。図１０において、ステップＳ１０１〜Ｓ１１１は、プラント監視サーバー１００において実行されるステップであり、ステップＳ３０１〜Ｓ３０６は、携帯情報端末３００において実行されるステップである。これらの当該フローチャートの一連の処理は、定期的に、または、ユーザーが指定する任意のタイミングで繰り返し実行される。なお、以下の各ステップの処理内容は例示であり、ステップの順番を入れ替えても、複数のステップを１つのステップとして処理しても、１つのステップを複数のステップに分離して処理してもよい。
【００７４】
まず、携帯情報端末３００を操作するユーザーは、当該端末の電源を投入したりリセットしたりしたのち、自らのユーザー識別情報を操作部３３３から入力する。このユーザー識別情報は、メモリ３１０に格納され、監視作業に先立った適当なタイミングでプラント監視サーバー１００に送信される。
【００７５】
プラント監視サーバー１００では、ステップＳ１０１において、ユーザー識別情報が取得されたか否かを判定し、取得された場合には（ステップＳ１０１：ＹＥＳ）、ステップＳ１０２に移行し、ユーザー定義情報取得部１０３がユーザー定義情報データベース１０１を参照してユーザー定義情報を取得する。
【００７６】
さて、携帯情報端末３００ｂを装着したユーザーは、プラント内を移動する。ユーザーが移動すると、携帯情報端末３００では新たな現在位置が取得される。すなわち、携帯情報端末３００では、ステップＳ３０１において、位置情報取得部３０８が新たな位置情報を取得したか否かを判定し、取得された場合には（ステップＳ３０１：ＹＥＳ）、ステップＳ３０２に移行し、プラント監視サーバー１００に新たに取得された位置情報（緯度Ｎ，経度Ｅ，方角Ｄ）が送信される。
【００７７】
プラント監視サーバー１００は、ステップＳ１０３において、携帯情報端末３００から新たな位置情報が取得されたか否かを判定し、取得された場合には（ステップＳ１０３：ＹＥＳ）、ステップＳ１０４に移行する。機器特定部１０４は、ステップＳ１０４において、機器定義情報データベース１０２を参照して、取得された位置情報（緯度Ｎ，経度Ｅ，方角Ｄ）で特定される携帯情報端末３００の現在位置と所定の位置関係にある機器２００を検索する。本実施形態では、現在位置の「近傍」または「正面」に位置する機器２００が検索される。
【００７８】
そして、ステップＳ１０５において、携帯情報端末３００の現在位置と所定の位置関係にある機器２００が存在するか否かが判定され、所定の位置関係にある機器２００が存在していた場合（ステップＳ１０５：ＹＥＳ）、ステップＳ１０６に移行する。情報抽出部１０５は、ステップＳ１０６において、監視情報データベース１０８を検索し、ユーザー定義情報に基づいて、特定された機器２００について、提供すべき監視情報を抽出する。すなわち、該当する機器２００の「測定値」および「ステータス」を抽出して出力する。
【００７９】
次いで、ステップＳ１０７に移行し、音声情報生成部１０６は、抽出された監視情報に基づいて携帯情報端末３００において提供される音声に対応する音声情報を生成する。すなわち、音声情報生成部１０６は、ステップＳ１０６において抽出された監視情報と機器定義情報データベース１０２から読み出された機器定義情報とに基づいて、文章テンプレートデータベース１０７に格納されている文章テンプレートに従った文章情報を生成する。
【００８０】
次いで、ステップＳ１０８に移行し、重要度決定部１１１は、ステップＳ１０２において取得されたユーザー定義情報と、ステップＳ１０６において抽出された監視情報とに基づいて、音声情報生成部１０６が生成した文章情報の重要度を決定する。
【００８１】
そして、ステップＳ１０９において、送信部１１４は、ステップＳ１０７において生成された文章情報とステップＳ１０８で決定された重要度情報とを携帯情報端末３００に送信する。
【００８２】
なお、プラント監視サーバー１００は、ステップＳ１０３において、新たな位置情報が取得されなかった場合には（ステップＳ１０３：ＮＯ）、当該処理ルーチンを終了する。また、ステップＳ１０５において、所定の位置関係にある機器２００が存在しなかった場合（ステップＳ１０５：ＮＯ）、当該処理ルーチンを終了する。なお、新たな位置情報が取得されなかった場合（ステップＳ１０３：ＮＯ）や所定の位置関係にある機器２００が存在しなかった場合（ステップＳ１０５：ＮＯ）に、ユーザーが意図的に停止の指示をするまで、文章情報の送信を繰り返し（ステップＳ１０９）、これを受けた携帯情報端末３００が繰り返し音声を送出し続けるように処理してもよい（ステップＳ３０３−３０６）。また、携帯情報端末３００は、プラント監視サーバー１００のステップＳ１０９からの次の文章情報を取得するまで、前回の音声を繰り返し送出し続けるように処理してもよい（ステップＳ３０３−３０６）。
【００８３】
携帯情報端末３００は、ステップＳ３０３において、プラント監視サーバー１００から文章情報が送信されたか否かを判定し、文章情報が送信されてきた場合には（ステップＳ３０３：ＹＥＳ）、ステップＳ３０４に移行し、音声合成部３０３は、音源データベース３０４ａを参照しながら、文章情報に基づいて当該文章情報に対応する音声を発音させるための音声情報を音声合成により生成する。
【００８４】
次いで、ステップＳ３０５に移行し、音声合成部３０３は、当該文章情報とともに送信された重要度情報をインデックスとして音声態様定義情報データベース３０４ｂを参照し、重要度情報によって特定される音声態様を取得する。
【００８５】
そして、ステップＳ３０６に移行し、音声合成部３０３は、取得された音声態様に従って、重要度に対応した声質、繰り返し回数、音量で、音声合成された音声情報を送出することによって、ユーザーに音声を提供する。
【００８６】
なお、プラント監視サーバー１００が音声情報で提供される監視情報と同一内容の画像情報を携帯情報端末３００に送信し、携帯情報端末３００において、画像生成部３０５がヘッドセット３２０のディスプレイ３２２にこの画像情報を出力して表示させるように構成してもよい。音声情報と同一内容の監視情報が画像で提供されることによって、周囲のノイズ等によって万一監視情報を報知する音声を聞き逃した場合でも、画像によって監視情報の内容をユーザーに報知することができ、監視情報の確実な告知を担保可能である。
【００８７】
プラント監視サーバー１００では、ステップＳ１１０において、携帯情報端末３００の現在位置と所定の位置関係にある機器２００が他にも存在するか否かが判定され、存在する場合には（ステップＳ１１０：ＹＥＳ）、ステップＳ１０６〜Ｓ１１０の処理が繰り返される。
携帯情報端末３００では、文章情報および重要度情報を受信する度に（ステップＳ３０３：ＹＥＳ）、ステップＳ３０４〜Ｓ３０６が繰り返され、現在位置と所定の位置関係にある他の機器２００についての音声が提供される。
【００８８】
（１−５．効果）
本実施形態１では以下のような利点を有する。
（１）本実施形態１によれば、ユーザー定義情報に基づいて機器２００の監視情報が抽出されるので、不必要な監視情報が除外され、ユーザーに必要な監視情報が提供されるので、必要十分な監視情報を効率的に得ることができ、迅速かつ適正な措置をとることが可能である。
【００８９】
（２）本実施形態１によれば、必要十分な監視情報が音声でユーザーに提供されるので、監視作業中のユーザーの視認作業や手足による確認作業を妨げることなく、必要十分な監視情報をユーザーに知得させることが可能である。
【００９０】
（３）本実施形態１によれば、ユーザーの「所属」に応じて監視情報が抽出されるので、所属に応じて監視作業の内容を異ならせている場合に、所属に応じた適切な監視情報を提供することが可能である。
【００９１】
（４）本実施形態１によれば、ユーザーの「職責」に応じて監視情報が抽出されるので、職責に応じて監視作業の内容を異ならせている場合に、職責に応じた適切な監視情報を提供することが可能である。
【００９２】
（５）本実施形態１によれば、ユーザーの「プリファランス」に応じて監視情報が抽出されるので、ユーザーが監視作業における特別な関心事について登録しておくことで、ユーザーの関心事に対応した適切な監視情報を提供することが可能である。
【００９３】
（６）本実施形態１によれば、携帯情報端末３００と機器２００との位置関係が「近傍」である場合に監視情報を抽出可能に構成したので、ユーザーが機器２００の方角を向いていない場合であっても監視情報を提供して注意を喚起することが可能である。
【００９４】
（７）本実施形態１によれば、携帯情報端末３００と機器２００との位置関係が「正面」である場合に監視情報を抽出可能に構成したので、ユーザーが機器２００の方角を向いており、ユーザーが監視対象となる機器２００に注意を払っている際に適切な監視情報を提供することが可能である。
【００９５】
（８）本実施形態１によれば、ユーザーの「所属」、「職責」、携帯情報端末３００と機器２００との「位置関係」に応じて重要度を変更して設定でき、ユーザーに提供される音声態様を変更できるので、ユーザーが機器２００の方角を向いており、「所属」、「職責」、「位置関係」に応じた適切な音声態様で機器２００の監視情報を提供することが可能である。
【００９６】
（９）本実施形態１によれば、機器２００の「ステータス」が「ＮＧ」である場合に高い重要度を設定し、高い重要度に対応した音声態様で音声を提供できるので、機器２００が異常状態である際に、遅滞なくユーザーの注意を喚起することが可能である。
【００９７】
（１０）本実施形態１によれば、ユーザーが「プリファランス」を登録している場合に高い重要度が設定され、高い重要度に対応した音声態様で音声を提供できるので、ユーザーに関心事が存在する場合にユーザーの関心事に対応する監視情報を適切に提供することが可能である。
【００９８】
（２．実施形態２）
本発明の実施形態２は、プラント監視サーバー側が提供した機器の識別情報に基づいて、携帯情報端末側で直接機器の監視情報を取得し、取得した監視情報に基づく音声を提供する態様に関する。
【００９９】
（２−１．プラント監視システム）
図１１に、実施形態２に係るプラント監視システムの概要を説明するシステム図を示す。図１１に示すように、本実施形態に係るプラント監視システム１０００ｂは、プラント監視サーバー１００ｂ、各種の監視対象となる機器２００ｂ−１、２、３、…、Ｎ（以下、機器を特定する必要がない場合には単に「機器２００ｂ」と呼ぶ。）、携帯情報端末３００ｂ、コントローラー５００、フィールド機器通信バス４０１、および上位ネットワーク４００を備えている。コントローラー５００、フィールド機器通信バス４０１、および上位ネットワーク４００については、上記実施形態１と同じであるため説明を省略する。
【０１００】
本実施形態２にかかるプラント監視システム１０００ｂは、プラント監視サーバー１００ｂが上位ネットワーク４００を介して携帯情報端末３００ｂと通信可能に接続され、各機器２００ｂからの監視情報がコントローラー５００を介してプラント監視サーバー１００ｂに提供される点では、上記実施形態１のプラント監視システム１０００と同様である。
【０１０１】
ただし、本実施形態２に係るプラント監視システム１０００ｂでは、機器２００ｂおよび携帯情報端末３００ｂが直接的に相互通信可能に構成されている点で、上記実施形態１と異なる。具体的に、本実施形態２に係る機器２００ｂと携帯情報端末３００ｂとは、無線通信可能に構成されており、携帯情報端末３００ｂはプラント監視サーバー１００ｂの仲介無しに機器２００ｂから直接監視情報を取得することが可能になっている。この無線通信の通信プロトコルに限定はないが、近距離通信が可能な方式であれば、無線ＬＡＮ、赤外線短距離通信規格、近距離無線通信規格等を採用可能である。
【０１０２】
（２−２．プラント監視サーバー１００ｂ）
図１２に、本実施形態２に係るプラント監視サーバーのブロック図を示す。図１２に示すように、プラント監視サーバー１００ｂは、携帯情報端末３００からユーザー識別情報、位置情報、選択的に、音声情報および画像情報等を受信する点で上記実施形態１と同じであるが、音声情報および重要度情報に代えて、装置識別情報およびユーザー定義情報を携帯情報端末３００ｂへ提供する点で上記実施形態１と異なる。
【０１０３】
図１２に示すように、本実施形態２に係るプラント監視サーバー１００ｂは、データベースとして、上記実施形態１と同様のユーザー定義情報データベース１０１、機器定義情報データベース１０２、監視情報データベース１０８を備えているが、上記実施形態１の文章テンプレートデータベース１０７および重要度定義データベース１１２を備えていない。本実施形態２では、携帯情報端末３００ｂ側で音声情報を生成するからである。なお、本実施形態２では、携帯情報端末３００が機器２００から直接監視情報を取得可能に構成するので、機器２００の監視情報を特定の場所に蓄積しておく必要がない場合には、プラント監視サーバー１００ｂは監視情報データベース１０８を備えていなくてもよい。
【０１０４】
また本実施形態２に係るプラント監視サーバー１００ｂは、受信部１１３および送信部１１４の他に、機能ブロックとして、ユーザー定義情報取得部１０３、機器特定部１０４、情報抽出部１０５ｂ、情報解析部１０９、および監視情報更新部１１０を備える。本実施形態２に係るプラント監視サーバー１００ｂは、音声情報生成部１０６および重要度決定部１１１を備えていない点並びに情報抽出部１０５ｂが装置識別情報およびユーザー定義情報を抽出する点で、上記実施形態１と異なる。受信部１１３、ユーザー定義情報取得部１０３、機器特定部１０４、情報解析部１０９、および監視情報更新部１１０については、上記実施形態１と同様であるため説明を省略する。以下、上記実施形態１と異なる機能ブロックを中心に説明する。なお、本実施形態２では、携帯情報端末３００が機器２００から直接監視情報を取得可能に構成するので、プラント監視サーバー１００ｂは情報解析部１０９や監視情報更新部１１０を備えていなくてもよい。
【０１０５】
（情報抽出部１０５ｂ）
情報抽出部１０５ｂは、機器定義情報データベース１０２を検索し、特定された機器の識別情報を抽出する機能ブロックである。具体的には、情報抽出部１０５は、機器特定部１０４が「近傍」または「正面」であると判定した機器２００について機器ＩＤをインデックスとして機器定義情報データベース１０２を検索し、該当する機器２００の「機器ＩＤ」を抽出して出力する。例えば、「近傍」に位置すると判定された機器２００が温度センサであった場合、情報抽出部１０５ｂは、機器定義情報データベース１０２から温度センサの機器ＩＤ「１００３」を抽出する。「正面」に位置すると判定された機器２００がファンであった場合、情報抽出部１０５ｂは、機器定義情報データベース１０２からファンの機器ＩＤ「１００６」を抽出する。また情報抽出部１０５ｂは、ユーザー定義情報取得部１０３が取得したユーザー定義情報を送信部１１４に出力する。
【０１０６】
（送信部１１４）
送信部１１４は、ネットワーク４００を介して、情報抽出部１０５ｂが抽出した機器識別情報、および、ユーザー定義情報取得部１０３が取得したユーザー定義情報を携帯情報端末３００ｂへ送信するように構成されている。
【０１０７】
（２−３．携帯情報端末３００ｂ）
本実施形態２に係る携帯情報端末３００ｂは、上記プラント監視サーバー１００ｂと通信可能に構成され、プラント監視サーバー１００ｂから提供された機器２００ｂの機器識別情報およびユーザー定義情報の一部を、当該機器識別情報に対応付けられた機器２００ｂと通信し、これに対応して当該機器２００ｂから提供された監視情報を取得し、当該監視情報に対応する音声を発音させるための音声情報を生成するように構成されている。携帯情報端末３００ｂは、少なくとも通信機能、位置検出機能、音声発生機能を有する携帯可能なコンピューター装置であり、本実施形態１と同様に、ウェアラブルコンピューターである。ただし、携帯情報端末３００ｂは、その他のハードウェア態様として、ＨＭＤ、スマートフォン、ノート型またはラップトップ型パーソナルコンピューター、携帯電話、ＰＤＡ等を使用することも可能である。
【０１０８】
図１３に本実施形態２に係る携帯情報端末３００ｂのブロック図を示す。図１３に示すように、携帯情報端末３００ｂは、ウェアラブルコンピューターとしての構成を備えており、受信部３０１、送信部３０２、およびメモリ３１０とともに、機能ブロックとして、音声合成部３０３ｂ、画像生成部３０５、音声取得部３０６、画像取得部３０７、位置情報取得部３０８、操作情報取得部３０９、および機器通信部３１１を備えている。また携帯情報端末３００ｂは、データベースとして、音源データベース３０４ａを備えている。
【０１０９】
携帯情報端末３００ｂの各構成のうち、受信部３０１、送信部３０２、およびメモリ３１０とともに、機能ブロックとして、音声合成部３０３ｂ、画像生成部３０５、音声取得部３０６、画像取得部３０７、位置情報取得部３０８、および操作情報取得部３０９については、上記実施形態１と同様であるため説明を省略する。以下、上記実施形態１と異なる構成について説明する。
【０１１０】
（機器通信部３１１）
プラント監視サーバー１００ｂから提供された機器識別情報およびユーザー定義情報の一部を監視対象となっている機器２００ｂに送信し、当該識別情報に対応付けられた機器２００ｂと通信網４０２経由で通信する機能ブロックである。具体的には、機器通信部３１１は、ユーザー定義情報を参照して、機器識別情報により特定される機器２００ｂが監視対象であるのか否かを判定し、監視対象であると判定した場合に機器ＩＤを監視対象となっている機器２００ｂに送信する。具体的には、ユーザーは、「プリファランス」にユーザーの関心事を特定することができる。例えば、監視したい機器２００ｂを識別する情報を「プリファランス」に登録しておくことができる。機器通信部３１１は、ユーザー定義情報の「プリフェランス」を参照して、機器識別情報により特定される機器２００ｂがユーザーの監視対象として「プリフェランス」に登録されている場合に当該機器２００ｂを監視対象とする。また例えば、ユーザーは監視したい機器２００ｂを複数グループとして登録することも可能である。具体的には、監視対象として「プリフェランス」に「測定機器」と登録したり「制御機器」と登録したりすることができる。グループとして登録されている場合には、機器識別情報により特定される機器２００ｂが「プリフェランス」に登録されているグループに属する場合に当該機器２００ｂを監視対象とすることになる。例えば、「プリフェランス」に「測定機器」と登録されていた場合には、機器２００ｂが圧力センサ、温度センサ、流量センサなどの「測定機器」である場合に監視対象となる。
【０１１１】
機器２００ｂ側では、当該機器識別情報を受信すると、自らが監視対象となっていることを認識し、携帯情報端末３００ｂに自らの監視情報を送信するように動作する。なお、携帯情報端末３００ｂと機器２００ｂとの通信網４０２に適用する通信規格は、上述したような近距離無線通信規格が好適であるが、その他の通信規格に準拠していてもよい。
【０１１２】
（音声合成部３０３ｂ）
音声合成部３０３ｂは、監視対象となっている機器２００ｂから提供された監視情報を取得し、当該監視情報に対応する音声を発音させるための音声情報を生成する機能ブロックである。具体的には、上記実施形態１の音声合成部３０３と同様に、監視情報が送信されてきたら、音声合成部３０３ｂは、音源データベース３０４ａを参照し、波形データを用いて音声合成することにより、当監視情報に対応する音声を発音させるための音声情報を生成する。音声情報に対応した音声は、ヘッドセット３２０のスピーカー３２１から当該ヘッドセット３２０を装着するユーザーに提供される。
【０１１３】
（２−４．動作）
図１３に、本実施形態２に係る動作を説明するフローチャートを示す。図１３において、ステップＳ１２１〜Ｓ１２７は、プラント監視サーバー１００ｂにおいて実行されるステップであり、ステップＳ３２１〜Ｓ３２６は、携帯情報端末３００ｂにおいて実行されるステップであり、ステップＳ２０１〜Ｓ２０２は、機器２００ｂにおいて実行されるステップである。これらの当該フローチャートの一連の処理は、定期的に、または、ユーザーが指定する任意のタイミングで繰り返し実行される。なお、以下の各ステップの処理内容は例示であり、ステップの順番を入れ替えても、複数のステップを１つのステップとして処理しても、１つのステップを複数のステップに分離して処理してもよい。
【０１１４】
図１３において、携帯情報端末３００を操作するユーザーは、当該端末の電源を投入したりリセットしたりしたのち、自らのユーザー識別情報を操作部３３３から入力する。このユーザー識別情報は、メモリ３１０に格納され、監視作業に先立った適当なタイミングでプラント監視サーバー１００ｂに送信される。
【０１１５】
プラント監視サーバー１００ｂでは、ステップＳ１２１において、ユーザー識別情報が取得されたか否かを判定し、取得された場合には（ステップＳ１２１：ＹＥＳ）、ステップＳ１２２に移行し、ユーザー定義情報取得部１０３がユーザー定義情報データベース１０１を参照してユーザー定義情報を取得する。
【０１１６】
さて、携帯情報端末３００ｂを装着したユーザーは、プラント内を移動する。ユーザーが移動すると、携帯情報端末３００ｂでは新たな現在位置が取得される。すなわち、携帯情報端末３００ｂでは、ステップＳ３２１において、位置情報取得部３０８が新たな位置情報を取得したか否かを判定する。新たな位置情報が取得された場合には（ステップＳ３２１：ＹＥＳ）、ステップＳ３２２に移行し、プラント監視サーバー１００ｂに新たに取得された位置情報（緯度Ｎ，経度Ｅ，方角Ｄ）が送信される。
【０１１７】
プラント監視サーバー１００ｂは、ステップＳ１２３において、携帯情報端末３００ｂから新たな位置情報が取得されたか否かを判定し、取得された場合には（ステップＳ１２３：ＹＥＳ）、ステップＳ１２４に移行する。機器特定部１０４は、ステップＳ１２４において、機器定義情報データベース１０２を参照して、取得された位置情報（緯度Ｎ，経度Ｅ，方角Ｄ）で特定される携帯情報端末３００ｂの現在位置と所定の位置関係にある機器２００ｂを検索する。所定の位置関係にある機器２００ｂとして、例えば、現在位置の「近傍」または「正面」に位置する機器２００ｂが検索される。
【０１１８】
そして、ステップＳ１２５において、携帯情報端末３００ｂの現在位置と所定の位置関係にある機器２００ｂが存在するか否かが判定され、所定の位置関係にある機器２００ｂが存在していた場合（ステップＳ１２５：ＹＥＳ）、ステップＳ１２６に移行する。情報抽出部１０５ｂは、ステップＳ１２６において、機器定義情報データベース１０２を検索し、所定の位置関係にある機器２００ｂの機器識別情報である「機器ＩＤ」を抽出する。また、ユーザー定義情報取得部１０３が取得したユーザー定義情報として当該ユーザーの「ユーザーＩＤ」に対応付けられたレコードの「所属」、「職責」、「プリファランス」（図４参照）を転送する。抽出された装置識別情報およびユーザー定義情報は、ステップＳ１２７において、送信部１１４から携帯情報端末３００ｂに送信される。
【０１１９】
なお、プラント監視サーバー１００ｂは、ステップＳ１２３において新たな位置情報が取得されなかった場合には（ステップＳ１２３：ＮＯ）、当該処理ルーチンを終了する。また、ステップＳ１２５において、所定の位置関係にある機器２００ｂが存在しなかった場合（ステップＳ１２５：ＮＯ）、当該処理ルーチンを終了する。
【０１２０】
携帯情報端末３００ｂは、ステップＳ３２３において、プラント監視サーバー１００ｂから装置識別情報およびユーザー定義情報が送信されたか否かを判定する。送信されてきた場合には（ステップＳ３２３：ＹＥＳ）、ステップＳ３２４に移行し、機器通信部３１１は、ユーザー定義情報を参照して、機器識別情報により特定される機器２００ｂが監視対象であるのか否かを判定する。例えば、ユーザー定義情報の「プリフェランス」を参照して、所定の位置関係にある機器２００ｂがユーザーの関心事のある監視対象として「プリフェランス」に登録されているか否かを判定する。監視対象の機器２００ｂであった場合（ステップＳ３２４：ＹＥＳ）、ステップＳ３２５に移行し、機器通信部３１１は対象機器の機器識別情報として例えば機器ＩＤを送信する。なお、機器識別情報の送信は機器２００ｂ側で通信準備のためであり、必須の情報ではない。例えば、機器識別情報に代えて、携帯情報端末３００ｂが直接通信を欲している旨の通信確立情報を送受信してもよい。また直接監視情報の要求ステップ（Ｓ３２６）に移行してもよい。
【０１２１】
機器２００ｂでは、ステップＳ２０１において、機器識別情報を受信したら、自らが監視対象となっていることを知り、監視情報の送信に必要な準備をする。
【０１２２】
携帯情報端末３００ｂでは、ステップＳ３２６に移行し、機器通信部３１１が機器２００ｂに監視情報を要求するコマンドを送信する。機器２００ｂは、監視情報を要求するコマンドを受信したら、ステップＳ２０２において、自らの監視情報を携帯情報端末３００ｂへ送信する。例えば、監視対象となっている機器２００ｂが測定機器であれば直近の測定値を送信する。また監視対象となっている機器２００ｂが制御機器であれば現在の動作状況をステータスとして送信する。
【０１２３】
携帯情報端末３００ｂでは、監視情報を受信したら、ステップＳ３２７において、音声合成部３０３が、当該監視情報をユーザーに報知するための音声情報を音声合成により生成する。音声合成により生成された音声情報は、ヘッドセット３２０のスピーカー３２１に供給され、監視情報を報知する音声としてユーザーに提供される。
【０１２４】
なお、音声情報として提供される監視情報は、画像生成部３０５が画像情報として生成し、ヘッドセット３２０のディスプレイ３２２に出力して表示させるように構成してもよい。音声情報と同一内容の監視情報が画像で提供されることによって、周囲のノイズ等によって万一監視情報を報知する音声を聞き逃した場合でも、画像によって監視情報の内容をユーザーに報知することができ、監視情報の確実な告知を担保可能である。
【０１２５】
また、音声合成により生成する音声情報は、例えば、機器２００ｂから送信された監視情報である測定値やステータスをそのまま読み上げる簡単なものでもよいし、上記実施形態１のプラント監視サーバー１００における音声情報生成部１０６が実行していた複雑なものでもよい。このように構成する場合、音声合成部３０３ｂは、文章テンプレートデータベースをさらに備える。また上記実施形態１において適用した重要度に応じた音声態様の変更を実行するように構成してもよい。このように構成する場合、重要度定義データベースおよび音声態様データベースをさらに備える。
【０１２６】
ステップＳ３２８において、ユーザーが操作部３３３を操作してさらなる監視情報の提供を指示した場合（ステップＳ３２８：ＮＯ）、携帯情報端末３００ｂは再びステップＳ３２６〜Ｓ３２７の処理を続行し、機器２００ｂはそれに対応して監視情報をさらに返信する（ステップＳ２０２）。当該機器２００ｂに対する監視を終了する場合には（ステップＳ３２８：ＹＥＳ）、当該処理を終了する。
【０１２７】
なお、携帯情報端末３００ｂにおいて、装置識別情報およびユーザー定義情報の送信がない場合（ステップＳ３２３：ＮＯ）並びにユーザー定義情報から監視対象機器２００ｂではないと判断される場合（ステップＳ３２４：ＮＯ）、当該処理を一旦終了する。
【０１２８】
（２−５．効果）
本実施形態２では以下のような利点を有する。
（１）本実施形態２によれば、携帯情報端末３００ｂが機器２００ｂと直接通信して監視情報を取得可能に構成されており、プラント監視サーバー１００ｂと携帯情報端末３００ｂとが通信するのは、ユーザーが現在位置を移動した場合のみである（図１４：ステップＳ３２１）。よって、プラント監視サーバー１００ｂと携帯情報端末３００ｂとの通信量を些少にし、プラント監視サーバー１００ｂの処理負担を軽減することができる。携帯情報端末３００ｂの情報処理能力が比較的高い場合に有効な実施形態である。
【０１２９】
（２）本実施形態２によれば、ユーザー定義情報に基づいて監視対象とする機器２００ｂが選択されるので、ユーザーが特に監視対象としたい１以上の機器２００ｂを事前登録しておけば、ユーザーがそれらの機器２００ｂから所定の位置関係となる度に、例えば「近傍」を通過する度に、その機器２００ｂの監視情報が音声にて提供される。よって、ユーザーは監視対象としたい機器２００ｂの位置を予め調べることなく、プラント内を任意に歩き回るだけで、必要な監視情報を取得することが可能である。
【０１３０】
（３）本実施形態２によれば、上記実施形態１と同様に、必要十分な監視情報が音声でユーザーに提供されるので、監視作業中のユーザーの視認作業や手足による確認作業を妨げることなく、必要十分な監視情報をユーザーに知得させることが可能である。
【０１３１】
（６．変形例）
本発明は、上記の実施形態に限定されることなく、本発明の要旨を変更しない限度において様々な変形が可能である。例えば以下のような変形が可能である。
（６−１）上記実施形態では、監視対象となる機器２００として流量センサ、温度センサ、圧力センサ等の測定機器およびバルブ、ヒーター、ポンプ、ファン等の制御機器を対象としたが、これらに限られない。ユーザーが利用可能な情報を出力可能な装置であれば、測定機器や制御機器の概念から外れる装置・機械を監視対象とすることが可能である。例えば、コンピューター装置を備えた工作機械、圧延装置、印刷装置、その他任意のものを監視対象とすることが可能である。
【０１３２】
（６−２）上記実施形態では、ユーザー定義情報データベース１０１に格納するユーザー定義情報として、「ユーザーＩＤ］、「所属」、「職責」、「プリファランス」を例示したが、これらに限られない。ユーザーの特徴を示す情報であれば、他の社会的、技術的、観点的概念によってユーザーを定義する情報を適用することができる。
【０１３３】
（６−３）上記実施形態では、機器定義情報データベース１０２に格納する機器定義情報として、「機器ＩＤ」、「設置位置」、「種別」、「測定制御対象」、「適正範囲」、「単位」を例示したが、これらに限られない。機器の特徴を示す情報であれば、これら情報に加えて、または、これら情報の一部に代えて適用することが可能である。これら情報一部は、監視情報データベース１０８に格納される情報とも一部重複するため、重複する情報を省略してもよい。
【０１３４】
（６−４）上記実施形態では、監視情報データベース１０８に格納する監視情報として、「機器ＩＤ」、「種別」、「測定制御対象」、「測定値」、「ステータス」を例示したが、これらに限られない。機器２００が出力可能な情報であれば、これら情報に加えて、または、これら情報の一部に代えて適用することが可能である。これら情報一部は、監視情報データベース１０８に格納される情報とも一部重複するため、重複する情報を省略してもよい。
【０１３５】
（６−５）上記実施形態１では、文章テンプレートデータベース１０７として測定機器用の文章および制御機器用の文章を例示したが、これら文章は例示に過ぎず、当然ながら異なる文章としてよい。文章テンプレートの数も、機器の種別や状況に応じてさらに増やしてもよい。また重要度に応じて異なる文章テンプレートを読み出して文章情報を生成するように構成してもよい。例えば、装置の動作状態がＮＧであるなど、緊急時に特別な注意を喚起可能な文章を適用するようにすることができる。
【０１３６】
（６−６）上記実施形態１における重要度定義データベース１１２に格納される設定は例示に過ぎず、これらに限られない。重要度に応じて、どのようなユーザー定義情報や監視情報を対応付けるのかは任意である。また重要度も「１」〜「３」の３段階としたのは例示に過ぎず、さらに多段階としてもよいし、２段階に抑えてもよい。
【０１３７】
（６−７）上記実施形態１では、音声態様定義情報として、「声質」、「回数」、「音量」で態様を変更するものを例示したが、これに限られない。変更することによりユーザーに重要度の違いを認識させることが可能な音響要素であれば、その他のものを追加可能である。例えば、音声再生の速度を変えたり音声に合わせて警報音、効果音等を加えたりしてもよい。
【０１３８】
（６−８）上記実施形態２では、携帯情報端末３００ｂが機器２００ｂの位置情報を送信し、プラント監視サーバー１００ｂが位置情報に基づき検査対象となる機器２００ｂのタグ情報として装置識別情報およびユーザー定義情報を送信するように構成したが、これに限られない。携帯情報端末３００ｂにおいて必要となる情報であれば、異なる情報をプラント監視サーバー１００ｂから携帯情報端末３００ｂに送信するようにしてもよい。例えば、プラント監視サーバー１００ｂが監視対象となる機器２００ｂの過去の測定値やステータスを送信し、携帯情報端末３００ｂがこれら過去の測定値やステータス情報をユーザーに音声で提供するようにしてもよい。このように構成すれば、ユーザーは監視対象となる機器２００ｂの現在の測定値やステータスと過去の測定値やステータスとを比較することができ、測定値の変遷やステータスの変化状態を認識することができるので、機器２００ｂの動作状態をより的確に把握し診断することができる。
【０１３９】
（６−９）上記実施形態２では、携帯情報端末３００ｂがユーザー識別情報および位置情報を送信し、プラント監視サーバー１００ｂがタグ情報として装置識別情報およびユーザー定義情報を送信するように構成したが、これに限られない。携帯情報端末３００ｂの情報処理能力がさらに高ければ、プラント監視サーバー１００ｂ側の処理の一部または全部を携帯情報端末３００ｂで実施させてもよい。例えば、携帯情報端末３００ｂがユーザー定義情報データベース１０１、機器定義情報データベース１０２、監視情報データベース１０８に相当する情報を自ら保有したり、クラウドサーバーに保有してアクセス可能に構成したりしてもよい。このように構成すれば、携帯情報端末３００ｂはプラント監視サーバー１００ｂを介することなく、直接機器２００ｂと通信して必要な監視情報を取得することができる。
【０１４０】
（６−１０）上記実施形態１では、プラント監視サーバー１００が文章情報（テキスト）を生成し、携帯情報端末３００が音声合成により当該文章情報に対応する音声情報（音声データ）を生成するように構成していたが、これに限られない。例えばプラント監視サーバー１００側で音声合成により音声情報を生成して送信し、携帯情報端末３００側で当該音声情報を発音させるように構成してもよい。このような構成によれば、携帯情報端末３００における情報処理負荷を軽減することが可能である。
【産業上の利用可能性】
【０１４１】
本発明は、プラントに設置される各種機器の監視に好適であるが、このほか、携帯情報端末を用いて機器や装置から何らかの情報を取得したい用途に適用することが可能である。例えば、一般に「プラント」という定義が適用されない工事現場や整備場、建設現場、さらに展示会や博覧会、各種テーマパークにおいてユーザーが携帯情報端末を用いて何らかの情報を現場で取得するような需要がある場合に、本発明を適用することが可能である。
【符号の説明】
【０１４２】
１００、１００ｂ        プラント監視サーバー
１０１  ユーザー定義情報データベース
１０２  機器定義情報データベース
１０３  ユーザー定義情報取得部
１０４  位置判定部
１０４  機器特定部
１０５、１０５ｂ        情報抽出部
１０６  音声情報生成部
１０７  文章テンプレートデータベース
１０８  監視情報データベース
１０９  情報解析部
１１０  監視情報更新部
１１１  重要度決定部
１１２  重要度定義データベース
１１２  重要度定義データベース
１１３  受信部
１１４  送信部
２００、２００ｂ、２００−ｘ    機器
３００、３００ｂ        携帯情報端末
３０１  受信部
３０２  送信部
３０３、３０３ｂ        音声合成部
３０４ａ        音源データベース
３０４ｂ        音声態様特定データベース
３０５  画像生成部
３０６  音声取得部
３０７  画像取得部
３０８  位置情報取得部
３０９  操作情報取得部
３１０  メモリ
３１１  機器通信部
３２０  ヘッドセット
３２１  スピーカー
３２２  ディスプレイ
３２３  マイクロフォン
３３１  カメラ
３３２  アンテナ
３３３  操作部
４００  上位ネットワーク
４０１  フィールド機器通信バス
４０２  通信網
５００  コントローラー
１０００、１０００ｂ    プラント監視システム
【図１】
2015103032.tif 000003
【図４】
2015103032.tif 000004
【図５】
2015103032.tif 000005
【図６】
2015103032.tif 000006
【図７】
2015103032.tif 000007
【図８】
2015103032.tif 000008
【図９】
2015103032.tif 000009
【図１０】
2015103032.tif 000010
【図１１】
2015103032.tif 000011
【図１４】
2015103032.tif 000012
【図２】
2015103032.tif 000013
【図３】
2015103032.tif 000014
【図１２】
2015103032.tif 000015
【図１３】
2015103032.tif 000016